(57)【要約】網膜の上流で眼内配置することに適した密閉カプセル（１０６）を含む人工視覚システムを構成する。密閉カプセル内には電子ディスプレイ（１０８）が配置され、また電子ディスプレイ上のイメージを網膜上に結像するように配列された結像光学系（１１０）が配置される。
2006509575.tif 000002
【特許請求の範囲】
【請求項１】
網膜の上流での眼内配置に適した密閉カプセルと、
前記密閉カプセル内に配置された電子ディスプレイと、
前記密閉カプセル内に配置され、前記電子ディスプレイ上のイメージを網膜上に結像すように配列された結像光学系を有する、人工視覚システム。
【請求項２】
前記電子ディスプレイには、ＬＣＤディスプレイを含む、請求項１に記載の人工視覚システム。
【請求項３】
前記電子ディスプレイを動作させるために前記密閉カプセル内に配置され、且つ前記電子ディスプレイ及び前記結像光学系で規定される光路の外側に配置される電子回路を有する、請求項１に記載の人工視覚システム。
【請求項４】
前記電子回路は、前記電子ディスプレイに表示するイメージデータを受信するように動作する無線データ受信機を有する、請求項３に記載の人工視覚システム。
【請求項５】
前記電子回路は、前記電子ディスプレイを動作させる電気エネルギーを無線で受信する無線エネルギー受信機を有する、請求項３に記載の人工視覚システム。
【請求項６】
前記無線データ受信機に対して前記イメージデータを伝送するように動作する無線イメージ伝送機能を有する、請求項４に記載の人工視覚システム。
【請求項７】
前記無線イメージ伝送機能は、ＲＦ及びＩＦイメージ伝送機能の少なくとも一つを含む、請求項６に記載の人工視覚システム。
【請求項８】
前記電子回路は、前記電子ディスプレイを動作させるために電気エネルギーを供給する電源を有する、請求項３に記載の人工視覚システム。
【請求項９】
前記電子ディスプレイを動作させるために電気エネルギーを供給する電源は、再充電可能な電源である、請求項８に記載の人工視覚システム。
【請求項１０】
前記電子ディスプレイを動作させるために電気エネルギーを供給する電源は、無線で再充電可能な電源である、請求項８に記載の人工視覚システム。
【請求項１１】
前記電子ディスプレイを動作させるために電気エネルギーを供給する電源は、超音波、電磁気、及び光起電の電源の電源の少なくとも一つを用いて再充電可能な電源である、請求項９に記載の人工視覚システム。
【請求項１２】
前記電子ディスプレイに表示されるイメージを取得するイメージ取得器を有する、請求項１に記載の人工視覚システム。
【請求項１３】
前記イメージ取得器は、眼鏡に取り付けられる、請求項１２に記載の人工視覚システム。
【請求項１４】
前記結像光学系は単レンズより成る、請求項１に記載の人工視覚システム。
【請求項１５】
前記結像光学系は複数のレンズより成る、請求項１に記載の人工視覚システム。
【請求項１６】
ユーザの眼において網膜の上流に、電子ディスプレイ及び前記電子ディスプレイ上のイメージを網膜上に結像する結像光学系を内蔵する密閉カプセルを埋め込み、
イメージデータを取得し、
前記イメージデータをその上に表示する前記電子ディスプレイに対して伝送する、
人工視覚提供方法。
【請求項１７】
前記伝送には、前記電子ディスプレイを動作させるために前記密閉カプセル内に配置された電子回路に対する無線伝送を含む、請求項１６に記載の人工視覚提供方法。
【請求項１８】
前記カプセル内部に対して前記電子ディスプレイを動作させるために無線で電気エネルギーを伝送することを含む、請求項１６に記載の人工視覚提供方法。
【請求項１９】
光が通り抜ける光路を規定するテレスコープ本体と、
前記テレスコープ本体に入れられた、少なくとも１枚の第１のレンズ及び少なくとも１枚の第２のレンズと、
複数の距離に位置する物体を網膜上に結像するように動作し、前記レンズの少なくとも１枚を、その光軸に沿って前記レンズの他の少なくとも１枚と相対的に位置決めする位置決め手段と、
眼内にインプラントを取り付けるために前記テレスコープ本体に接続された取り付け構造を有する、網膜の上流で配置する眼内インプラント。
【請求項２０】
前記位置決め手段はレンジファインダーを有する、請求項１９に記載の眼内インプラント。
【請求項２１】
前記位置決め手段はフォーカスセンサを有する、請求項１９に記載の眼内インプラント。
【請求項２２】
前記位置決め手段はユーザの入力に応答する、請求項１９に記載の眼内インプラント。
【請求項２３】
前記位置決め手段は、前記レンズの少なくとも１枚に対する取り付け部と、
少なくとも１個の磁石と、
前記少なくとも１個の磁石と相互作用する、少なくとも１個の電磁コイルを有する、請求項１９に記載の眼内インプラント。
【請求項２４】
前記位置決め手段は、前記テレスコープ本体の外部にある入力デバイスからの入力に応答する、請求項１９に記載の眼内インプラント。
【請求項２５】
少なくとも１枚の負レンズ及び少なくとも１つの気泡を有する密閉カプセルと、
前記密閉カプセルの外側に配置された少なくとも１枚の正レンズを有する、
眼内インプラントシステム。
【請求項２６】
前記少なくとも１枚の正レンズは、眼鏡レンズより成る、請求項２５に記載の眼内インプラントシステム。
【請求項２７】
前記少なくとも１枚の正レンズは、コンタクトレンズより成る、請求項２５に記載の眼内インプラントシステム。
【請求項２８】
前記少なくとも１枚の正レンズは、眼に埋め込まれたレンズより成る、請求項２５に記載の眼内インプラントシステム。
【請求項２９】
前記眼に埋め込まれたレンズは、空気カプセルを有する、請求項２８に記載の眼内インプラントシステム。
【請求項３０】
前記密閉カプセルの外壁は、前記少なくとも１枚の負レンズを有する、請求項２５に記載の眼内インプラントシステム。
【請求項３１】
少なくとも１枚の正レンズ及び少なくとも１つの気泡を有する密閉カプセルと、
前記密閉カプセルの外側に配置された少なくとも１枚の負レンズを有する、
眼内インプラントシステム。
【請求項３２】
前記少なくとも１枚の負レンズは、眼鏡レンズより成る、請求項３１に記載の眼内インプラントシステム。
【請求項３３】
前記少なくとも１枚の負レンズは、コンタクトレンズより成る、請求項３１に記載の眼内インプラントシステム。
【請求項３４】
前記少なくとも１枚の負レンズは、眼に埋め込まれたレンズより成る、請求項３１に記載の眼内インプラントシステム。
【請求項３５】
前記眼に埋め込まれたレンズは、空気カプセルを有する、請求項３４に記載の眼内インプラントシステム。
【請求項３６】
前記密閉カプセルの外壁は、前記少なくとも１枚の正レンズを有する、請求項３１に記載の眼内インプラントシステム。
【請求項３７】
ガリレオテレスコープを構成するために少なくとも１枚の負レンズと協働する少なくとも１枚の正レンズと、
少なくとも１つの気泡と、を有する密閉カプセルを有し、
前記少なくとも１枚の負レンズが眼の水晶体嚢の外側に配置される環境で使用される、眼内インプラントシステム。
【請求項３８】
前記少なくとも１枚の負レンズは、角膜を変形することで生成される、請求項３７に記載の眼内インプラントシステム。
【請求項３９】
前記少なくとも１枚の負レンズは、眼鏡レンズより成る、請求項３７に記載の眼内インプラントシステム。
【請求項４０】
前記少なくとも１枚の負レンズは、コンタクトレンズより成る、請求項３７に記載の眼内インプラントシステム。
【請求項４１】
前記少なくとも１枚の負レンズは、眼に埋め込まれたレンズより成る、請求項３７に記載の眼内インプラントシステム。
【請求項４２】
前記眼に埋め込まれたレンズは、空気カプセルを有する、請求項４１に記載の眼内インプラントシステム。
【請求項４３】
前記密閉カプセルの外壁は、前記少なくとも１枚の正レンズを有する、請求項３７に記載の眼内インプラントシステム。
【請求項４４】
ガリレオテレスコープを構成するために少なくとも１枚の正レンズと協働する少なくとも１枚の負レンズと、
少なくとも１つの気泡と、を有する密閉カプセルを有し、
前記少なくとも１枚の正レンズが眼の水晶体嚢の外側に配置される環境で使用される、眼内インプラントシステム。
【請求項４５】
前記少なくとも１枚の正レンズは、角膜を変形することで生成される、請求項４４に記載の眼内インプラントシステム。
【請求項４６】
前記少なくとも１枚の正レンズは、眼鏡レンズより成る、請求項４４に記載の眼内インプラントシステム。
【請求項４７】
前記少なくとも１枚の正レンズは、コンタクトレンズより成る、請求項４４に記載の眼内インプラントシステム。
【請求項４８】
前記少なくとも１枚の正レンズは、眼に埋め込まれたレンズより成る、請求項４４に記載の眼内インプラントシステム。
【請求項４９】
前記眼に埋め込まれたレンズは、空気カプセルを有する、請求項４８に記載の眼内インプラントシステム。
【請求項５０】
前記密閉カプセルの外壁は、前記少なくとも１枚の負レンズを有する、請求項４４に記載の眼内インプラントシステム。
【請求項５１】
電子ディスプレイと結像光学系を含む密閉カプセルを網膜の上流に埋め込み、
前記電子ディスプレイに表されるイメージを網膜上に結像するために、前記電子ディスプレイと前記結像光学系を使用する、視覚向上方法。
【請求項５２】
イメージデータを受信するように動作する無線データ受信機を使用し、
前記イメージデータを前記電子ディスプレイ上に表示する、請求項５１に記載の方法。
【請求項５３】
前記電子ディスプレイを動作させるために無線で電気エネルギーを受信する無線エネルギー受信機を使用する、請求項５１に記載の方法。
【請求項５４】
前記無線データ受信機に対して前記イメージデータを無線で伝送する、請求項５２に記載の方法。
【請求項５５】
前記無線伝送には、ＲＦ及びＩＲイメージ伝送機能の少なくとも１つを用いて無線で伝送することを含む、請求項５４に記載の方法。
【請求項５６】
前記電子ディスプレイを動作させるために電気エネルギーを供給する電源を使用する、請求項５１に記載の方法。
【請求項５７】
前記電子ディスプレイに表示されるイメージを取得する、請求項５１に記載の方法。
【請求項５８】
前記イメージの取得は、眼鏡に取り付けられたイメージ取得器を使用して取得する、請求項５７に記載の方法。
【請求項５９】
光が通り抜ける光路を規定するテレスコープ本体と、前記テレスコープ本体に入れられた、少なくとも１枚の第１のレンズ及び少なくとも１枚の第２のレンズと、複数の距離に位置する物体を網膜上に結像するように動作し、前記レンズの少なくとも１枚をその光軸に沿って前記レンズの他の少なくとも１枚と相対的に位置決めする位置決め手段とを含む眼内インプラントを備え、
前記眼内インプラントを網膜の上流に埋め込む、視覚向上方法。
【請求項６０】
前記位置決め手段に対して入力を供給し、
前記入力に応答して前記レンズの前記少なくとも１枚を位置決めする、請求項５９に記載の方法。
【請求項６１】
前記入力の供給は、前記テレスコープ本体の外部にある入力デバイスから入力を供給する、請求項６０に記載の方法。
【請求項６２】
眼の網膜の上流で、少なくとも１枚の負レンズと少なくとも１つの気泡を含む密閉カプセルを埋め込み、
前記密閉カプセルの外部に配置される少なくとも１枚の正レンズを備える、視覚向上方法。
【請求項６３】
前記備えることは、眼鏡レンズを備える、請求項６２に記載の方法。
【請求項６４】
前記備えることは、コンタクトレンズを備える、請求項６２に記載の眼内インプラントシステム。
【請求項６５】
前記備えることは、前記眼にレンズを埋め込む、請求項６２に記載の眼内インプラントシステム。
【請求項６６】
前記レンズの埋め込みは、空気カプセルを含むレンズを埋め込む、請求項６５に記載の方法。
【請求項６７】
眼の網膜の上流で、少なくとも１枚の正レンズと少なくとも１つの気泡を含む密閉カプセルを埋め込み、
前記密閉カプセルの外部に配置される少なくとも１枚の負レンズを備える、視覚向上方法。
【請求項６８】
前記備えることは、眼鏡レンズを備える、請求項６７に記載の方法。
【請求項６９】
前記備えることは、コンタクトレンズを備える、請求項６７に記載の眼内インプラントシステム。
【請求項７０】
前記備えることは、前記眼にレンズを埋め込む、請求項６７に記載の眼内インプラントシステム。
【請求項７１】
前記レンズの埋め込みは、空気カプセルを含むレンズを埋め込む、請求項６７に記載の方法。
【請求項７２】
眼の水晶体嚢の外側に配置される少なくとも１枚の負レンズを備え、
前記眼の網膜の上流に、ガリレオテレスコープを構成するように前記少なくとも１枚の負レンズと協働する少なくとも１枚の正レンズと少なくとも１つの気泡を含む密閉カプセルを埋め込む、視覚向上方法。
【請求項７３】
前記少なくとも１枚の負レンズを生成するために前記眼の角膜を変形する、請求項７２に記載の方法。
【請求項７４】
前記備えることは、眼鏡レンズを備える、請求項７２に記載の方法。
【請求項７５】
前記備えることは、コンタクトレンズを備える、請求項７２に記載の方法。
【請求項７６】
前記備えることは、前記眼にレンズを埋め込む、請求項７２に記載の方法。
【請求項７７】
前記レンズの埋め込みは、空気カプセルを含むレンズを埋め込む、請求項７２に記載の方法。
【請求項７８】
眼の水晶体嚢の外側に配置される少なくとも１枚の正レンズを備え、
前記眼の網膜の上流に、ガリレオテレスコープを構成するように前記少なくとも１枚の正レンズと協働する少なくとも１枚の負レンズと少なくとも１つの気泡を含む密閉カプセルを埋め込む、視覚向上方法。
【請求項７９】
前記少なくとも１枚の正レンズを生成するために前記眼の角膜を変形する、請求項７８に記載の方法。
【請求項８０】
前記備えることは、眼鏡レンズを備える、請求項７８に記載の方法。
【請求項８１】
前記備えることは、コンタクトレンズを備える、請求項７８に記載の方法。
【請求項８２】
前記備えることは、前記眼にレンズを埋め込む、請求項７８に記載の方法。
【請求項８３】
前記レンズの埋め込みは、空気カプセルを含むレンズを埋め込む、請求項７８に記載の方法。
【発明の詳細な説明】
【技術分野】
【０００１】
本発明は、一般に眼のインプラントに関するものであり、詳しくは眼内インプラント及びそのインプラント技術に関するものである。
【背景技術】
【０００２】
本願発明者による、以下に示す米国特許が、本技術の現状を表していると信じる。
【０００３】
【特許文献１】米国特許第５８１４１０３号明細書
【特許文献２】米国特許第５８７６４４２号明細書
【特許文献３】米国特許第５９２８２８３号明細書
【特許文献４】米国特許第６００７５７９号明細書
【特許文献５】米国特許第６０６６１７１号明細書
【発明の開示】
【０００４】
特許出願人は、同時係属中の米国特許出願公開第１０／３２１７９３号、２００２年１２月１７日出願、”眼内インプラント”をここに紹介する。
【０００５】
本発明は、人工視覚システムを提供することを目指す。
【０００６】
そこで、本発明の好ましい実施形態に従って、網膜の上流に眼内配置するのに適した密閉カプセルと、その密閉カプセル内に配置された電子ディスプレイ及びその密閉カプセル内に配置され、且つ電子ディスプレイ上のイメージを網膜上に結像するよう配列される結像光学系を含む人工視覚システムを提供する。
【０００７】
また本発明の他の好ましい実施形態では、電子ディスプレイにはＬＣＤディスプレイを含む。
【０００８】
本発明のさらに別の好ましい実施形態では、人工視覚システムは電子ディスプレイを動作させるために密閉カプセル内に配置された電子回路を含み、その電子回路は電子ディスプレイと結像光学系で規定される光路の外側に配置される。さらに電子回路は、電子ディスプレイ上に表示するイメージデータを受信するように動作する無線データ受信機を含む。または、電子回路は電子ディスプレイを動作させるために電子エネルギーを無線で受信する無線エネルギー受信機を含む。
【０００９】
また別の好ましい実施形態によると、人工視覚システムは、無線データ受信機に対してイメージデータを伝送するように動作する無線イメージ伝送機能を有する。好ましくは、無線イメージ伝送機能は少なくともＲＦ及びＩＲイメージ伝送機能の一つを含む。
【００１０】
本発明のさらに好ましい実施形態では、電子回路は電子ディスプレイを動作させるために電気エネルギーを供給する電源を含む。さらに、電子ディスプレイを動作させるために電気エネルギーを供給する電源は、再充電可能な電源である。また、電子ディスプレイを動作させるために電気エネルギーを供給する電源は、無線で再充電可能な電源である。そしてさらに、電子ディスプレイを動作させるために電気エネルギーを供給する電源は、超音波、電磁気、若しくは光起電の電源の少なくとも一つを用いて再充電可能である。
【００１１】
本発明の好ましい別の実施形態では、人工視覚システムは、電子ディスプレイ上に表示されるイメージを取得するイメージ取得器も含む。さらに、イメージ取得器は眼鏡に取り付けられる。
【００１２】
好ましくは、結像光学系は単レンズより成る。または、結像光学系は複数のレンズより成る。
【００１３】
また、本発明の好ましい実施形態では、人工視覚を提供する方法は、網膜の上流側でユーザの眼内に、電子ディスプレイと、電子ディスプレイ上のイメージを網膜上に結像するための結像光学系を内蔵する密閉カプセルを埋め込み、イメージデータを取得し、そのイメージデータを電子ディスプレイに表示するために電子ディスプレイに伝送する。
【００１４】
好ましくは、その伝送では、電子ディスプレイを動作させるために密閉カプセル内に配置された電子回路に対して無線伝送する。
【００１５】
さらに、人工視覚を提供する方法は、電子ディスプレイを動作させるために電気エネルギーをカプセル内部に無線で伝送するステップも含む。
【００１６】
本発明のまたさらに別の好ましい実施形態によると、光が通り抜ける光路を規定するテレスコープ本体と、テレスコープ本体内に入れられた少なくとも１枚の第１のレンズ及び少なくとも１枚の第２のレンズと、複数の距離で配置される物体を網膜上に結像させるように動作し、光軸に沿って少なくとも１枚のレンズを他の少なくとも１枚のレンズに対して相対的に位置決めするための位置決め手段と、眼内にインプラントを取り付けるためにテレスコープ本体と接続された取り付け構造とを含む網膜の上流側に配置するための眼内インプラントを提供する。
【００１７】
別の好ましい実施形態によると、位置決め手段にはレンジファインダーを含む。または、位置決め手段にはフォーカスセンサ（ｆｏｃｕｓ  ｒｅｓｏｌｖｅｒ）を含む。本発明のまた別の好ましい実施形態では、位置決め手段はユーザの入力に応答する。
【００１８】
もう一つの好ましい実施形態によると、位置決め手段は、少なくともレンズの一枚についての取り付け部と、少なくとも１個のマグネットと、その少なくとも１個のマグネットと相互作用する、少なくとも１個の電磁コイルを含む。
【００１９】
また別の好ましい実施形態によると、位置決め手段は、外部の入力装置からテレスコープ本体への入力に応答する。
【００２０】
本発明のまた別の好ましい実施形態では、少なくとも１枚の正のレンズが眼の水晶体嚢の外側に配置される環境下で使用する眼内インプラントシステムを提供し、そのシステムは、ガリレオテレスコープを構成するようにその少なくとも１枚の正のレンズと協働する、少なくとも１枚の負のレンズと少なくとも１つの気泡を含む密閉カプセルを含む。
【００２１】
本発明の他の好ましい実施形態によると、少なくとも１枚の正のレンズは、角膜の形状を変形することによって生成される。
【００２２】
本発明のさらにまた別の実施形態によると、眼内インプラントシステムは、少なくとも１枚の負のレンズ及び少なくとも１つの気泡を含む密閉カプセルと、密閉カプセルの外側に配置された少なくとも１枚の正のレンズを含む。
【００２３】
本発明の好ましい実施形態によると、その少なくとも１枚の正レンズには、眼鏡レンズを含む。または、若しくはさらに、少なくとも１枚の正レンズには、コンタクトレンズを含む。または、若しくはさらに、少なくとも１枚の正レンズには、眼の中に埋め込まれたレンズを含む。さらに、その埋め込まれたレンズには、空気カプセルを含む。
【００２４】
本発明の別の好ましい実施形態によると、密閉カプセルの外壁は少なくとも１枚の負のレンズを含む。
【００２５】
また本発明の好ましい実施形態では、少なくとも１枚の負のレンズが眼の水晶体嚢の外側に配置される環境下で使用する眼内インプラントシステムを提供し、そのシステムは、ガリレオテレスコープを構成するようにその少なくとも１枚の負のレンズと協働する、少なくとも１枚の正のレンズと少なくとも１つの気泡を含む密閉カプセルを含む。
【００２６】
本発明の他の好ましい実施形態によると、少なくとも１枚の負のレンズは、角膜の形状を変形することによって生成される。
【００２７】
本発明のさらにまた別の実施形態によると、眼内インプラントシステムは、少なくとも１枚の正のレンズ及び少なくとも１つの気泡を含む密閉カプセルと、密閉カプセルの外側に配置された少なくとも１枚の負のレンズを含む。
【００２８】
本発明の好ましい実施形態によると、その少なくとも１枚の負レンズには、眼鏡レンズを含む。または、若しくはさらに、少なくとも１枚の負レンズには、コンタクトレンズを含む。または、若しくはさらに、少なくとも１枚の負レンズには、眼の中に埋め込まれたレンズを含む。さらに、その埋め込まれたレンズには、空気カプセルを含む。
【００２９】
本発明の別の好ましい実施形態によると、密閉カプセルの外壁は少なくとも１枚の正のレンズを含む。
【００３０】
また、本発明の好ましい別の実施形態では、網膜の上流に密閉カプセルを埋め込む視覚向上方法が提供され、その密閉カプセルは、電子ディスプレイと結像光学系を含み、その電子ディスプレイと結像光学系を、電子ディスプレイ上に表されたイメージを網膜上に結像するために使用する。
【００３１】
本発明の別の好ましい実施形態によると、その視覚向上方法は、イメージデータを受信するように動作する無線データ受信機を使用し、電子ディスプレイ上にそのイメージデータを表示する。または、若しくはさらに、電子ディスプレイを動作させるために電気エネルギーを無線で受信する無線エネルギー受信機を使用する。また別の好ましい実施形態によると、視覚向上方法は、無線データ受信機に対してイメージデータを無線で伝送する。好ましくは、その無線伝送には、少なくともＲＦ及びＩＲイメージ伝送の一つを含む。
【００３２】
本発明のさらに別の好ましい実施形態によると、視覚向上方法は電子ディスプレイを動作させるために電気エネルギーを供給する電源を使用する。
【００３３】
本発明のさらに別の好ましい実施形態によると、電子ディスプレイ上に表示されるイメージを取得する。さらに、その取得は、眼鏡上にイメージ取得器を取り付けることを含む。
【００３４】
本発明による他の好ましい実施形態では、視覚を向上する方法を提供し、その視覚向上方法では、光が通り抜ける光路を規定するテレスコープ本体と、テレスコープ本体内に入れられた少なくとも１枚の第１のレンズ及び少なくとも１枚の第２のレンズと、複数の距離で配置される物体を網膜上に結像させるように動作し、光軸に沿って少なくとも１枚のレンズを他の少なくとも１枚のレンズに対して相対的に位置決めするための位置決め手段とを含んだ眼内インプラントを備え、眼内で網膜の上流側にインプラントを埋め込む。
【００３５】
本発明のまた別の好ましい実施形態によると、視覚向上方法は、位置決め手段に入力を提供し、その入力に応答してレンズの少なくとも１枚を位置決めする。さらに、入力の提供は、テレスコープ本体の外部の入力装置から入力を提供する。
【００３６】
本発明のさらに別の好ましい実施形態では、視覚向上方法を提供し、その視覚向上方法は、眼の水晶体嚢の外側に配置される少なくとも１枚の負のレンズを備え、眼の内で網膜の上流側に、ガリレオテレスコープを構成するようにその少なくとも１枚の負のレンズと協働する、少なくとも１枚の正のレンズと少なくとも１つの気泡を含む密閉カプセルを埋め込む。また本発明の好ましい実施形態によると、視覚向上方法は、その少なくとも１枚の負のレンズを生成するために眼の角膜を変形することを含む。
【００３７】
本発明のさらにまた別の実施形態によると、少なくとも１枚の正のレンズ及び少なくとも１つの気泡を含む密閉カプセルを眼の内で網膜の上流側に埋め込み、密閉カプセルの外側に配置された少なくとも１枚の負のレンズを備える。
【００３８】
本発明のさらに別の好ましい実施形態では、視覚向上方法を提供し、その視覚向上方法は、眼の水晶体嚢の外側に配置される少なくとも１枚の正のレンズを備え、眼の内で網膜の上流側に、ガリレオテレスコープを構成するように少なくとも１枚の正のレンズと協働する、少なくとも１枚の負のレンズと少なくとも１つの気泡を含む密閉カプセルを埋め込む。また本発明の好ましい実施形態によると、視覚向上方法は、その少なくとも１枚の正のレンズを生成するために眼の角膜を変形することを含む。
【００３９】
本発明のさらにまた別の実施形態によると、少なくとも１枚の負のレンズ及び少なくとも１つの気泡を含む密閉カプセルを眼の内で網膜の上流側に埋め込み、密閉カプセルの外側に配置された少なくとも１枚の正のレンズを備える。
【００４０】
本発明の好ましい実施形態によると、上記の備えることでは、眼鏡レンズを備えることを含む。またさらに、上記の備えでは、コンタクトレンズを備えることを含む。またさらに、上記の備えでは、眼の中に埋め込まれたレンズを備えることを含む。さらに、本発明の好ましい実施形態では、レンズの埋め込みは、空気カプセルを含むレンズを埋め込むことを含む。
【発明を実施するための最良の形態】
【００４１】
本発明は、図面とともに以下の詳細な説明から理解され、より明らかとなるであろう。
【００４２】
ここで図１を参照する。図１は、本発明の好ましい実施形態によって構成され、且つ動作する人工視覚システムの概略図である。図１に示すように、ＣＣＤカメラのような実時間イメージングデバイスを含む人工視覚システムが提供される。図示した実施形態では、説明のために組み込み型および外部イメージングデバイスの両方を含んでいる。しかしそれら両方を一緒に使用することも可能であるが、一般には組み込み型か外部イメージングデバイスのどちらか一方が採用されると理解されたい。
【００４３】
図１に図示した実施形態では、ここでは参照番号１００で示される、少なくとも１個、好ましくは複数の外部イメージングデバイスが、図示のように一般に眼鏡１０２に取り付けられる。外部イメージングデバイス１００は、好ましくはステレオで、光景を観察する。外部イメージングデバイス１００でキャプチャされたイメージ情報は、無線で、好ましくは従来のＩＲ若しくはＲＦ技術によって、網膜の上流側での眼内配置に適した密閉カプセル１０６内に配置された電子回路１０４に伝送される。電子回路１０４は、外部イメージングデバイス１００により観察されたように、キャプチャされたイメージをバックライト付き若しくは自己発光ＬＣＤディスプレイなどの電子ディスプレイ１０８上に実時間で表示するように動作する。
【００４４】
密閉カプセル１０６内の、一般にはレンズ集合体１１０の形態である結像光学系は、表示されたイメージをユーザの網膜上に結像するように動作する。
【００４５】
または、若しくはさらに、ここでは参照番号１１２で示される、組み込み型のイメージングデバイスが、各密閉カプセル１０６の内側若しくは外側表面に配置される。内蔵イメージングデバイス１１２は、好ましくはステレオで光景を観察する。内蔵イメージングデバイス１１２でキャプチャされたイメージ情報は、有線で、又は従来のＩＲ若しくはＲＦ技術などによって無線で、網膜の上流側での眼内配置に適した密閉カプセル１０６内に配置された電子回路１０４に伝送される。電子回路１０４は、内蔵イメージングデバイス１１２により観察されたように、キャプチャされたイメージをバックライト付き若しくは自己発光ＬＣＤディスプレイなどの電子ディスプレイ１０８上に実時間で表示するように動作する。密閉カプセル１０６内の、好ましくはレンズ集合体１１０である結像光学系は、表示されたイメージをユーザの網膜上に結像するように動作する。
【００４６】
電子回路１０４は、電子ディスプレイ１０８及び結像光学系１１０とで規定される光路の外側に配置されることに注意する。
【００４７】
光景のイメージを伝送することに加えて、外部イメージングデバイス１００若しくは内蔵イメージングデバイス１１２に、他の適当なデジタル情報、例えばビデオイメージを、電子回路１０４を経て電子ディスプレイ１０８に伝送するように動作させてもよい。
【００４８】
ここで図２及び図３を参照する。図２及び図３は、図１でユーザに埋め込まれて図示された埋め込み可能な密閉カプセル１０６の詳細を示す。密閉カプセル１０６は、取り付け用触覚（ｍｏｕｎｔｉｎｇ  ｈａｐｔｉｃｓ）１２２を備え、一般的にシリンドリカルなカプセル本体１２４で規定される眼内インプラントハウジング１２０で構成される。前面シールプレート１２５及び背面シールプレート１２６が、カプセル本体１２４を密閉する。また背面シールプレート１２６は透明である。図示のように内蔵イメージングデバイス１１２は、前面シールプレート１２５の外側表面に取り付けられる。このタイプのカプセルは、１９９８年１２月２９日に出願され、その後に放棄された米国特許出願第０９／２２２３３０号、”テレスコピック眼内レンズ”の分割出願である、２０００年１０月３日に出願された米国特許出願第０９／６７８５５９号、”テレスコピック眼内レンズ”、及び２０００年１１月２７日に出願された米国特許出願第０９／７２１９１６号、”テレスコピック眼内レンズ”に開示されており、そしてそれらの開示内容はここに参照として組み込まれる。
【００４９】
好ましくは、密閉カプセル１０６内に配置されるのは、電子回路及びここに参照番号１３０として示されるディスプレイ部である。ディスプレイ部１３０は、電子回路１０４（図１）に接続された電子ディスプレイ（図１）を含むことが好ましく、またイメージデータの無線受信機を含むことが好ましい。ディスプレイ１０８は、前面シールプレート１２５に対して一般的に平行になるように配置され、一方電子回路１０４は、ディスプレイ１０８、ここではレンズ１３４として示される結像レンズ１１０（図１）、及びユーザの網膜間の光路と干渉しないように、ディスプレイ１０８と背面シールプレート１２６間の光路の周辺でシリンドリカルな形状となるように配置されるフレキシブルな回路基板上に実装されることが好ましい。図２及び図３に示された実施形態では、単レンズ１３４が示されているが、結像光学系１１０は図１の実施形態に示すように複数のレンズを有してもよいことが理解される。
【００５０】
本発明の好ましい実施形態によると、電子回路１０４は、電子回路及び電子ディスプレイを動作させるために、電気エネルギーを無線で受信し、保存するための無線エネルギー受信機を含み、その無線エネルギー受信機は、共振回路と再充電可能な小型バッテリまたはキャパシタ（図示せず）などのエネルギー保存設備といったものである。
【００５１】
図１の実施形態では、眼鏡１０２に取り付けられるバッテリのように、ユーザ身体の外部にある電源（図示せず）と、共振回路のような適当なエネルギー伝送機を、密閉カプセル１０６内部の電子回路１０４に動作電力を伝送するために使用することができる。代わりに、超音波、電磁気若しくは光起電の電源のような適当な電源をカプセルの内側又は外側に置くこともできる。
【００５２】
ここで、図４Ａ及び図４Ｂを参照する。図４Ａ及び図４Ｂは、他の眼内インプラントシステムと同様、図１〜図３のインプラントシステムで使用可能な、可変焦点レンズの配置の使用を示す概略図である。図４Ａ及び図４Ｂに示されるように、ユーザの眼の中に埋め込まれた密閉カプセル２０２に配置された可変焦点光学系２００を含む眼内インプラントシステムが提供される。
【００５３】
図４Ａ及び図４Ｂの検討から、異なる距離にある物体に正確にフォーカスするために、可変焦点光学系２００内の少なくとも２枚のレンズ２０４及び２０６の相対的な位置が、好ましくは電子制御入力に応答して、変化することが分かる。
【００５４】
相対的な位置決めは、従来のオートフォーカスカメラで採用されているような、従来のフォーカスセンサ若しくはレンジファインダーが提供できる、無線受信した、観察された物体距離を示す入力に応答して、ピエゾデバイス又は電子回転モータなどの電子移動器（ｅｌｅｃｔｒｉｃ  ｄｉｓｐｌａｃｅｒ）によって行われることが好ましい。代わりに、ユーザが入力を与えてもよい。
【００５５】
ここで図５及び図６を参照する。図５及び図６は、図４Ａ及び図４Ｂでユーザに埋め込まれて示される埋め込み可能な密閉カプセル２０２の詳細を示す。密閉カプセル２０２は、取り付け用触覚２２２を備え、一般的にシリンドリカルなカプセル本体２２４で構成される眼内インプラントハウジング２２０で構成される。前面シールプレート２２５及び背面シールプレート２２６が、カプセル本体２２４を密閉する。また前面シールプレート２２５及び背面シールプレート２２６は透明である。図示のように、内蔵レンジファインダーデバイス２１２は前面シールプレート２２５の外側表面に取り付けられる。このタイプのカプセルは、１９９８年１２月２９日に出願され、その後に放棄された米国特許出願第０９／２２２３３０号、”テレスコピック眼内レンズ”の分割出願である、２０００年１０月３日に出願された米国特許出願第０９／６７８５５９号、”テレスコピック眼内レンズ”、及び２０００年１１月２７日に出願された米国特許出願第０９／７２１９１６号、”テレスコピック眼内レンズ”に開示されており、そしてそれらの開示内容はここに参照として組み込まれる。
【００５６】
ここでは参照番号２３０として示される、電子回路及びフォーカス制御部は、好ましくは密閉カプセル２０２内に配置される。フォーカス制御部２３０は、好ましくは電子回路２３４を含み、さらに好ましくは測距情報を受信する無線受信機を含む。電子回路２３４は、観察される光景と、可変焦点光学系２４０を経たユーザの網膜間の光路と干渉しないように、背面シールプレート２２６を経てカプセル２０２を通る光路の周辺でシリンドリカルな形状となるように配置されるフレキシブルな回路基板上に実装されることが好ましい。
【００５７】
図示された実施形態では、可変焦点光学系２４０は、固定レンズ２４２と、固定レンズ２４２に関する光軸に沿って選択的に位置決め可能な位置可変レンズ２４４を有し、そのため可変焦点光学系２４０の焦点距離が変化する。
【００５８】
図示された実施形態では、レンズ２４４に対してねじ切りされた取り付け部２４６と、少なくとも１個の永久磁石２５０と、それとともに相互作用する少なくとも１個の電磁コイル２５２を備え、好ましくはねじ切りされた取り付け部２４６に選択的にねじ切りしたレンズ２４４を取り付け、そして電子回路２３４からの制御信号に応答してレンズ２４２とレンズ２４４の間隔を変化させ、そのことにより観察される物体距離で適切なフォーカスを与える。
【００５９】
レンズ２４２とレンズ２４４相互間の選択的な位置変化についての他の適当な機構も採用可能であることが理解される。
【００６０】
本発明の好ましい実施形態によると、電子回路２３４は、電子回路２３４及び電磁コイル２５２を動作させるために、電気エネルギーを無線で受信し、保存するための無線エネルギー受信機を含み、その無線エネルギー受信機は、共振回路（図示せず）と再充電可能な小型バッテリまたはキャパシタ（図示せず）などのエネルギー保存設備といったものである。
【００６１】
本発明の一実施形態では、眼鏡に取り付けられるバッテリのように、ユーザ身体の外部にある電源（図示せず）と、レンジファインダーと、共振回路のような適当なエネルギー伝送機を、密閉カプセル２０２内部の電子回路２３４に動作電力を伝送するために使用することができる。代わりに、超音波、電磁気若しくは光起電の電源のような適当な電源をカプセルの内側又は外側に置くこともできる。
【００６２】
図示された実施形態では、２枚のレンズを有しているが、２又はそれ以上の枚数のレンズからなる適当な構成を採用してもよいことが理解される。
【００６３】
ここで図７Ａ〜図７Ｇを参照する。図７Ａ〜図７Ｇは、眼の水晶体嚢に埋め込まれた密閉カプセル３００を採用し、少なくとも１枚の負レンズ３０２と少なくとも１つの気泡３０４と、密閉カプセルの外側に配置された少なくとも１枚の正レンズを含む、眼内レンズシステムの様々な代替的実装例を示す概略断面図である。
【００６４】
図７Ａは、正レンズがコンタクトレンズ３０６である場合の実施形態を示す。図７Ｂに示す実施形態では、正レンズは眼鏡レンズ３０８である。図７Ｃは、正レンズが眼に埋め込まれたレンズ３１０である場合の実施形態を示す。図７Ｃでは、レンズ３１０は眼の前眼房に埋め込まれているが、代わりにレンズ３１０を虹彩と水晶体嚢の間の後眼房に埋め込んでもよい。
【００６５】
図７Ｄは２枚のレンズ、コンタクトレンズ３１２及び眼鏡３１４が用いられる場合を示す。図７Ｅの実施形態では、２枚のレンズ、コンタクトレンズ３１６及び眼に埋め込まれたレンズ３１８が用いられる。図７Ｅでは、レンズ３１８は眼の前眼房に埋め込まれているが、代わりにレンズ３１８を虹彩と水晶体嚢の間の後眼房に埋め込んでもよい。図７Ｆは、２枚のレンズが眼鏡レンズ３２０及び眼に埋め込まれたレンズ３２２である場合の実施形態を示す。図７Ｆでは、レンズ３２２は眼の前眼房に埋め込まれているが、代わりにレンズ３２２を虹彩と水晶体嚢の間の後眼房に埋め込んでもよい。
【００６６】
図７Ｇは、３枚のレンズ、コンタクトレンズ３２４、眼鏡レンズ３２６、及び眼に埋め込まれたレンズ３２８が採用される場合の実施形態を示す。図７Ｇでは、レンズ３２８は眼の前眼房に埋め込まれているが、代わりにレンズ３２８を虹彩と水晶体嚢の間の後眼房に埋め込んでもよい。
【００６７】
ここで図７Ｈを参照する。図７Ｈは、図７Ａと同等であり、ここでは点線３３２で示すように角膜３３０の曲率を変更する屈折矯正手術が行われ、レンズ３０６（図７Ａ）の必要性をなくしたものである。
【００６８】
ここで図８を参照する。図８は、本発明のさらなる実施形態により構成され、動作する、図７Ａ〜図７Ｈに示されるタイプの眼内レンズシステムの概略側面断面図である。この実施形態では、正レンズ３５０は眼に埋め込まれている。図８では、レンズ３５０は眼の前眼房に埋め込まれているが、代わりにレンズ３５０を虹彩と水晶体嚢の間の後眼房に埋め込んでもよい。図８の実施形態では、正レンズ３５０はより明瞭なフォーカスを提供するために空気カプセル３５２を含むことが好ましい。
【００６９】
ここで図９Ａ〜図９Ｄを参照する。図９Ａ〜図９Ｄは、図７Ａ〜図８のシステムで採用されるタイプの埋め込み型密閉カプセルの４例の概略側面図である。カプセルの各々は、密閉カプセル本体３６０及び関連する取り付け用触覚３６２を含むことが見てとれる。このタイプのカプセルは、１９９８年１２月２９日に出願され、その後に放棄された米国特許出願第０９／２２２３３０号、”テレスコピック眼内レンズ”の分割出願である、２０００年１０月３日に出願された米国特許出願第０９／６７８５５９号、”テレスコピック眼内レンズ”、及び２０００年１１月２７日に出願された米国特許出願第０９／７２１９１６号、”テレスコピック眼内レンズ”に開示されており、そしてそれらの開示内容はここに参照として組み込まれる。カプセル内には、負レンズ３６４が配置される。
【００７０】
図９Ａの実施形態では、単一の気泡３６８が負レンズ３６４の後方に配置される。
【００７１】
図９Ｂの実施形態では、単一の気泡３７０が負レンズ３６４の前方に配置される。
【００７２】
図９Ｃの実施形態では、気泡３８０が負レンズ３６４の前方及び後方に配置される。
【００７３】
図９Ｄの実施形態では、気泡３９０が負レンズ３６４の前方及び後方に配置されるのに加えて、正レンズ３９４が負レンズ３６４の後方に配置される。
【００７４】
ここで図１０Ａ〜図１０Ｇを参照する。図１０Ａ〜図１０Ｇは、眼の水晶体嚢に埋め込まれた密閉カプセル４００を採用し、少なくとも１枚の正レンズ４０２と少なくとも１つの気泡４０４と、密閉カプセルの外側に配置された少なくとも１枚の負レンズを含む、眼内レンズシステムの様々な代替的実装例を示す概略断面図である。図１０Ａ〜図１０Ｇの眼内レンズシステムは、トンネル視の治療に対して特に好適である。
【００７５】
図１０Ａは、負レンズがコンタクトレンズ４０６である場合の実施形態を示す。図１０Ｂに示す実施形態では、負レンズは眼鏡レンズ４０８である。図１０Ｃは、負レンズが眼に埋め込まれたレンズ４１０である場合の実施形態を示す。図１０Ｃでは、レンズ４１０は眼の前眼房に埋め込まれているが、代わりにレンズ４１０を虹彩と水晶体嚢の間の後眼房に埋め込んでもよい。
【００７６】
図１０Ｄは２枚のレンズ、コンタクトレンズ４１２及び眼鏡４１４が用いられる場合を示す。図１０Ｅの実施形態では、２枚のレンズ、コンタクトレンズ４１６及び眼に埋め込まれたレンズ４１８が用いられる。図１０Ｅでは、レンズ４１８は眼の前眼房に埋め込まれているが、代わりにレンズ４１８を虹彩と水晶体嚢の間の後眼房に埋め込んでもよい。図１０Ｆは、２枚のレンズが眼鏡レンズ４２０及び眼に埋め込まれたレンズ４２２である場合の実施形態を示す。図１０Ｆでは、レンズ４２２は眼の前眼房に埋め込まれているが、代わりにレンズ４２２を虹彩と水晶体嚢の間の後眼房に埋め込んでもよい。
【００７７】
図１０Ｇは、３枚のレンズ、コンタクトレンズ４２４、眼鏡レンズ４２６、及び眼に埋め込まれたレンズ４２８が採用される場合の実施形態を示す。図１０Ｇでは、レンズ４２８は眼の前眼房に埋め込まれているが、代わりにレンズ４２８を虹彩と水晶体嚢の間の後眼房に埋め込んでもよい。
【００７８】
ここで図１０Ｈを参照する。図１０Ｈは、図１０Ａと同等であり、ここでは点線４３２で示すように角膜４３０の曲率を変更する屈折矯正手術が行われ、負レンズ４０６（図１０Ａ）の必要性をなくしたものである。
【００７９】
ここで図１１を参照する。図１１は、本発明のさらなる実施形態により構成され、動作する、図１０Ａ〜図１０Ｈに示されるタイプの眼内レンズシステムの概略側面断面図である。この実施形態では、負レンズ４５０は眼に埋め込まれている。図１１では、レンズ４５０は眼の前眼房に埋め込まれているが、代わりにレンズ４５０を虹彩と水晶体嚢の間の後眼房に埋め込んでもよい。図１１の実施形態では、レンズ４５０はより明瞭なフォーカスを提供するために空気カプセル４５２を含む。
【００８０】
ここで図１２Ａ〜図１２Ｄを参照する。図１２Ａ〜図１２Ｄは、図１０Ａ〜図１１のシステムで採用されるタイプの埋め込み型密閉カプセルの４例の概略側面図である。カプセルの各々は、密閉カプセル本体４６０及び関連する取り付け用触覚４６２を含むことが見てとれる。このタイプのカプセルは、１９９８年１２月２９日に出願され、その後に放棄された米国特許出願第０９／２２２３３０号、”テレスコピック眼内レンズ”の分割出願である、２０００年１０月３日に出願された米国特許出願第０９／６７８５５９号、”テレスコピック眼内レンズ”、及び２０００年１１月２７日に出願された米国特許出願第０９／７２１９１６号、”テレスコピック眼内レンズ”に開示されており、そしてそれらの開示内容はここに参照として組み込まれる。カプセル内には、正レンズ４６４が配置される。
【００８１】
図１２Ａの実施形態では、単一の気泡４６８が正レンズ４６４の後方に配置される。
【００８２】
図１２Ｂの実施形態では、単一の気泡４７０が正レンズ４６４の前方に配置される。
【００８３】
図１２Ｃの実施形態では、気泡４８０が正レンズ４６４の前方及び後方に配置される。
【００８４】
図１２Ｄの実施形態では、気泡４９０が正レンズ４６４の前方及び後方に配置されるのに加えて、負レンズ４９４が正レンズ４６４の後方に配置される。
【００８５】
本発明は、ここに説明し、示してきたことに特に限定されないことは当業者にとって理解されるであろう。むしろ本発明の範囲には、ここに説明した様々な機構のコンビネーション及びサブコンビネーションと同様に、当業者が上述の明細書を読んで気が付く、先行技術ではない変形やそのバリエーションも含む。
【図面の簡単な説明】
【００８６】
【図１】本発明の好ましい実施形態によって構成され、動作する人工視覚システムの概略図である。
【図２】図１のシステムの一部を形成するインプラントの概略部品展開図である。
【図３】図２のインプラントの部分側面断面図である。
【図４Ａ】図１〜図３のインプラントシステムにおける可変焦点レンズ配置の使用の概略図である。
【図４Ｂ】図１〜図３のインプラントシステムにおける可変焦点レンズ配置の使用の概略図である。
【図５】図４Ａ及び図４Ｂのシステムの一部を形成するインプラントの概略部品展開図である。
【図６】図５のインプラントの部分側面断面図である。
【図７Ａ】眼内に埋め込み配置され、少なくとも１枚の負レンズ及び少なくとも１つの気泡を含む密閉カプセルと、密閉カプセルの外側に配置された少なくとも１枚の正レンズを採用した眼内レンズシステムの様々な実装形態を示す概略断面図である。
【図７Ｂ】眼内に埋め込み配置され、少なくとも１枚の負レンズ及び少なくとも１つの気泡を含む密閉カプセルと、密閉カプセルの外側に配置された少なくとも１枚の正レンズを採用した眼内レンズシステムの様々な実装形態を示す概略断面図である。
【図７Ｃ】眼内に埋め込み配置され、少なくとも１枚の負レンズ及び少なくとも１つの気泡を含む密閉カプセルと、密閉カプセルの外側に配置された少なくとも１枚の正レンズを採用した眼内レンズシステムの様々な実装形態を示す概略断面図である。
【図７Ｄ】眼内に埋め込み配置され、少なくとも１枚の負レンズ及び少なくとも１つの気泡を含む密閉カプセルと、密閉カプセルの外側に配置された少なくとも１枚の正レンズを採用した眼内レンズシステムの様々な実装形態を示す概略断面図である。
【図７Ｆ】眼内に埋め込み配置され、少なくとも１枚の負レンズ及び少なくとも１つの気泡を含む密閉カプセルと、密閉カプセルの外側に配置された少なくとも１枚の正レンズを採用した眼内レンズシステムの様々な実装形態を示す概略断面図である。
【図７Ｇ】眼内に埋め込み配置され、少なくとも１枚の負レンズ及び少なくとも１つの気泡を含む密閉カプセルと、密閉カプセルの外側に配置された少なくとも１枚の正レンズを採用した眼内レンズシステムの様々な実装形態を示す概略断面図である。
【図７Ｈ】角膜を変形することで形成した正レンズと協働して使用するために、眼内に埋め込み配置され、少なくとも１枚の負レンズ及び少なくとも１つの気泡を含む密閉カプセルを採用した眼内レンズシステムの実装形態を示す概略断面図である。
【図８】本発明の別の実施形態によって構成され、動作する図７Ａ〜図７Ｈに示したタイプの眼内レンズシステムの概略側面断面図である。
【図９Ａ】図７Ａ〜図８のシステムで採用したタイプの埋め込み型密閉カプセルの一例の側面図である。
【図９Ｂ】図７Ａ〜図８のシステムで採用したタイプの埋め込み型密閉カプセルの他の一例の側面図である。
【図９Ｃ】図７Ａ〜図８のシステムで採用したタイプの埋め込み型密閉カプセルの他の一例の側面図である。
【図９Ｄ】図７Ａ〜図８のシステムで採用したタイプの埋め込み型密閉カプセルの他の一例の側面図である。
【図１０Ａ】眼内に埋め込み配置され、少なくとも１枚の正レンズ及び少なくとも１つの気泡を含む密閉カプセルと、密閉カプセルの外側に配置された少なくとも１枚の負レンズを採用した眼内レンズシステムの様々な実装形態を示す概略断面図である。
【図１０Ｂ】眼内に埋め込み配置され、少なくとも１枚の正レンズ及び少なくとも１つの気泡を含む密閉カプセルと、密閉カプセルの外側に配置された少なくとも１枚の負レンズを採用した眼内レンズシステムの様々な実装形態を示す概略断面図である。
【図１０Ｃ】眼内に埋め込み配置され、少なくとも１枚の正レンズ及び少なくとも１つの気泡を含む密閉カプセルと、密閉カプセルの外側に配置された少なくとも１枚の負レンズを採用した眼内レンズシステムの様々な実装形態を示す概略断面図である。
【図１０Ｄ】眼内に埋め込み配置され、少なくとも１枚の正レンズ及び少なくとも１つの気泡を含む密閉カプセルと、密閉カプセルの外側に配置された少なくとも１枚の負レンズを採用した眼内レンズシステムの様々な実装形態を示す概略断面図である。
【図１０Ｅ】眼内に埋め込み配置され、少なくとも１枚の正レンズ及び少なくとも１つの気泡を含む密閉カプセルと、密閉カプセルの外側に配置された少なくとも１枚の負レンズを採用した眼内レンズシステムの様々な実装形態を示す概略断面図である。
【図１０Ｆ】眼内に埋め込み配置され、少なくとも１枚の正レンズ及び少なくとも１つの気泡を含む密閉カプセルと、密閉カプセルの外側に配置された少なくとも１枚の負レンズを採用した眼内レンズシステムの様々な実装形態を示す概略断面図である。
【図１０Ｇ】眼内に埋め込み配置され、少なくとも１枚の正レンズ及び少なくとも１つの気泡を含む密閉カプセルと、密閉カプセルの外側に配置された少なくとも１枚の負レンズを採用した眼内レンズシステムの様々な実装形態を示す概略断面図である。
【図１０Ｈ】角膜を変形することで形成した負レンズと協働して使用するために、眼内に埋め込み配置され、少なくとも１枚の正レンズ及び少なくとも１つの気泡を含む密閉カプセルを採用した眼内レンズシステムの実装形態を示す概略断面図である。
【図１１】本発明の別の実施形態によって構成され、動作する図１０Ａ〜図１０Ｈに示したタイプの眼内レンズシステムの概略側面断面図である。
【図１２Ａ】図１０Ａ〜図１１のシステムで採用したタイプの埋め込み型密閉カプセルの一例の側面図である。
【図１２Ｂ】図１０Ａ〜図１１のシステムで採用したタイプの埋め込み型密閉カプセルの別の一例の側面図である。
【図１２Ｃ】図１０Ａ〜図１１のシステムで採用したタイプの埋め込み型密閉カプセルの別の一例の側面図である。
【図１２Ｄ】図１０Ａ〜図１１のシステムで採用したタイプの埋め込み型密閉カプセルの別の一例の側面図である。
【図１】
2006509575.tif 000003
【図２】
2006509575.tif 000004
【図３】
2006509575.tif 000005
2006509575.tif 000006
【図５】
2006509575.tif 000007
【図６】
2006509575.tif 000008
2006509575.tif 000009
2006509575.tif 000010
2006509575.tif 000011
2006509575.tif 000012
2006509575.tif 000013
【図８】
2006509575.tif 000014
2006509575.tif 000015
2006509575.tif 000016
2006509575.tif 000017
2006509575.tif 000018
2006509575.tif 000019
2006509575.tif 000020
【図１１】
2006509575.tif 000021
2006509575.tif 000022
【国際調査報告】
2006509575.tif 000023
2006509575.tif 000024